(57)【要約】【課題】  蓋の開閉を強い力を出さずにスムーズに行え、特に腕力のない人でもスムーズに開閉することのできるゲーム機を提供する。【解決手段】  操作パネルを有するゲーム機本体１２と、ゲーム機本体１２の上面に設けられてゲーム機本体１２を覆うカバー１４と、カバー１４を支持するステー３０と、ゲーム機本体１２側に設けられた本体側機構部２８とを有し、本体側機構部２８は、ステー３０に一定の荷重を与えてカバー１４が開く方向へ付勢する定荷重ばね７６を有する。【選択図】        図２
2006045784.tif 000002
【特許請求の範囲】
【請求項１】
操作パネルを有するゲーム機本体と、
前記ゲーム機本体の上面に設けられて前記ゲーム機本体を覆う蓋と、
前記蓋を支持する支持部材と、
前記ゲーム機本体側に設けられた本体側機構部とを有し、
前記本体側機構部は、前記支持部材に一定の荷重を与えて前記蓋が開く方向へ付勢する定荷重付勢手段を有することを特徴とするゲーム機。
【請求項２】
請求項１において、
前記定荷重付勢手段は、定荷重ばねを有することを特徴とするゲーム機。
【請求項３】
請求項２において、
前記定荷重付勢手段は、前記定荷重ばねを密着巻きにした回転可能なドラムと、前記定荷重ばねの外端部を取り付けた前記支持部材下方の台車とを有することを特徴とするゲーム機。
【請求項４】
請求項３において、
前記本体側機構部は、前記筐体に沿って上下方向に配設され、前記支持部材の下部を案内するガイドレールを有し、
前記台車は、前記ガイドレールの内面に当接する内側ローラと、前記ガイドレールの外面に当接する外側ローラとを上下で離れた位置に有することを特徴とするゲーム機。
【請求項５】
請求項１〜４のいずれかにおいて、
前記本体側機構部は、前記ゲーム機本体に収納された支持部材を係合する係合手段を有し、
前記蓋を前記支持部材から取り外した場合、前記係合手段が前記支持部材を係合するのを防止する係合防止手段を有することを特徴とするゲーム機。
【請求項６】
請求項５において、
前記係合防止手段は、付勢手段により前記支持部材の蓋への取付部外方に突出可能に付勢され、取り付け時には前記取付部内に収納された状態とされ、取り外し時に取付部外方に突出してゲーム機本体の上面に当接可能にされたロッドを有することを特徴とするゲーム機。
【発明の詳細な説明】
【技術分野】
【０００１】
本発明は、ゲーム機に関し、特に、蓋の開閉を容易に行えるゲーム機に関する。
【背景技術】
【０００２】
従来より、景品を獲得するタイプのゲーム機が知られている。
【０００３】
このタイプのゲーム機では、半球状のドーム形状を成す透明カバーに覆われたゲーム機本体内に景品獲得用の複数のテーブルを用意し、この複数のテーブルに対応して設けられた複数の操作パネルをプレーヤが操作することで、テーブル上に載置された景品を獲得するというゲームが行われている。
【０００４】
このようなゲーム機にあっては、ゲーム機の稼働中、もしくはゲームセンターが終了した後に、その内部の景品を補充したり、偏って存在する景品を均一にならすといった作業が必要となる。
【０００５】
このような、景品の補充や景品を均一にならす作業を行うためには、ドーム形状の透明カバーをその都度開閉しなければならない。
【０００６】
しかし、このようなゲーム機にあっては、操作パネルと一緒にドーム形状の透明カバーを固定する状態となっているため、透明カバーを開けるためには、操作パネルを固定しているボルト等を一旦取り外さなければならず、手間がかかるものであった。
【０００７】
さらに、透明カバー自体には支持機構が設けられておらず、透明カバーを開く場合、作業者が透明カバーを持ち上げて一旦他の場所にどけ、景品の補充作業を行うか、あるいは、一人が透明カバーを持ち上げて開放状態を維持しつつ、もう一人が景品を補充するという複数人による景品補充作業が必要であった。
【０００８】
そのために、作業が極めて大変であり、また、腕力のない人が透明カバーを持ち上げる作業を行うのは困難なものであった。
【０００９】
そこで、本願出願人は、特許文献１に示すように、ゲーム機の透明カバー等の蓋を容易に開閉することができ、かつ、開放状態を維持することのできるゲーム機を先に提供した。
【特許文献１】特開２０００−３４２８４３号公報
【発明の開示】
【発明が解決しようとする課題】
【００１０】
このようなゲーム機においては、透明カバー等の蓋を容易に開放状態で維持して一人で作業を行うことができるものの、今だ蓋の重量が重く、蓋の開閉の際に相当な力が必要とされ、また、蓋を閉じる際にも蓋の重量を支えながら行わなければならず、相当な労力を必要とする。
【００１１】
本発明の目的は、蓋の開閉を強い力を出さずにスムーズに行え、特に腕力のない人でもスムーズに開閉することのできるゲーム機を提供することにある。
【００１２】
また、全開及び全閉の中間位置においても特別な力を要することなく開閉をスムーズに行えるようにすることにある。
【課題を解決するための手段】
【００１３】
前記目的を達成するため、本発明のゲーム機は、操作パネルを有するゲーム機本体と、
前記ゲーム機本体の上面に設けられて前記ゲーム機本体を覆う蓋と、
前記蓋を支持する支持部材と、
前記ゲーム機本体側に設けられた本体側機構部とを有し、
前記本体側機構部は、前記支持部材に一定の荷重を与えて前記蓋が開く方向へ付勢する定荷重付勢手段を有することを特徴とする。
【００１４】
本発明によれば、定荷重付勢手段により、一定の荷重で前記蓋に対して開方向への付勢力を生じさせることで、急激な開閉力を付与することなく、蓋の開閉を強い力を出さずにスムーズに行え、特に腕力のない人でもスムーズに開閉することができる。
【００１５】
また、全開及び全閉の中間位置においても特別な力を要することなく開閉をスムーズに行うことができる。
【００１６】
さらに、蓋を閉じる際に、蓋の重さにより急激に蓋が閉じるような状態を防止することができる。
【００１７】
本発明においては、前記定荷重付勢手段は、定荷重ばねを有するものとすることができる。
【００１８】
このような構成とすることにより、ばねののびが増大しても荷重に変化が生じることなく一定荷重を保つことができ、しかもコンパクトで円滑な作動状態が得られる。
【００１９】
この場合、前記定荷重付勢手段は、前記定荷重ばねを密着巻きにした回転可能なドラムと、前記定荷重ばねの外端部を取り付けた前記支持部材下方の台車とを有するものとすることができる。
【００２０】
このような構成とすることにより、簡単な構成で、一定荷重が得られ、しかも蓋の開閉に必要なストロークを十分に確保することができる。
【００２１】
この場合、前記本体側機構部は、前記筐体に沿って上下方向に配設され、前記支持部材の下部を案内するガイドレールを有し、
前記台車は、前記ガイドレールの内面に当接する内側ローラと、前記ガイドレールの外面に当接する外側ローラとを上下で離れた位置に有するものとすることができる。
【００２２】
このような構成とすることにより、支持部材を持ち上げた際に、定荷重ばねの巻き取りによって、台車に時計方向または反時計方向へのモーメントが作用することとなり、これによって内側ローラ及び外側ローラがガイドレールを挟み込むように作用しながら転動することとなり、スムーズな蓋の開閉動作を得ることができる。
【００２３】
本発明においては、前記本体側機構部は、前記ゲーム機本体に収納された支持部材を係合する係合手段を有し、
前記蓋を前記支持部材から取り外した場合、前記係合手段が前記支持部材を係合するのを防止する係合防止手段を有するものとすることができる。
【００２４】
このような構成とすることにより、係合防止手段により、係合部材が本体側機構部により係合されるのを防止することで、何らかの事情により蓋をゲーム機本体から取り外した場合、支持部材をロック可能にすると、ロックを解除した際に定荷重付勢手段の付勢力によって支持部材が急激に飛び出すような事態を防止することができる。
【００２５】
この場合、前記係合防止手段は、付勢手段により前記支持部材の蓋への取付部外方に突出可能に付勢され、取り付け時には前記取付部内に収納された状態とされ、取り外し時に取付部外方に突出してゲーム機本体の上面に当接可能にされたロッドを有するものとすることができる。
【００２６】
このような構成とすることにより、比較的簡単な構成で、コンパクトに、しかも、取付部の取り外しで自動的に支持部材のロック防止を行うことができる。
【発明を実施するための最良の形態】
【００２７】
以下、本発明の好適な実施の形態について、図面を参照して詳細に説明する。
【００２８】
図１〜図１４は、本発明の一実施の形態に係るゲーム機を示す図である。
【００２９】
このゲーム機１０は、図１に示すように、ゲーム機本体１２と、蓋としてのカバー１４とを有し、このカバー１４をゲーム機本体１２に対し開閉装置１６を用いて開閉可能にしている。
【００３０】
ゲーム機本体１２は、平面視ほぼ正八角形の筐体１８を有し、この筐体１８内に複数、例えば４つの景品獲得用のテーブル２０が９０度毎の間隔で配置された状態となっている。
【００３１】
また、これら４つのテーブル２０対応位置の筐体１８外側には、それぞれ操作パネル２２が４カ所に配置された状態となっている。
【００３２】
カバー１４は、図２〜４に示すように、透明な半球状のドーム形状とされ、ゲーム機本体１２上に配置されてテーブル２０の上方部分を覆う状態となっている。
【００３３】
そして、プレーヤが操作パネル２２を操作することによって、テーブル２０上に載置された景品を獲得するというゲームが行われるようになっている。
【００３４】
開閉装置１６は、操作パネル２２間で、互いに対向する位置に配置された一対の開閉機構２４を有している。
【００３５】
各開閉機構２４は、図５にも示すように、それぞれがカバー１４の上下方向の開閉とヒンジ兼用にされるもので、それぞれがカバー１４側に設けられた蓋側機構部２６と、筐体１８側に設けられた本体側機構部２８とを有している。
【００３６】
各蓋側機構部２６は、一対の支持部材としてのステー３０と、閉鎖保持部材３２と、開放維持部材３４とを有している。
【００３７】
一対のステー３０は、上端部がカバー１４の外縁部に取り付けられたロッドとしてのヒンジ軸３６を介してカバー１４に回動可能に垂下保持されている。
【００３８】
また、このステー３０の長さは、カバー１４の全開状態を維持するのに十分な長さに設定されている。
【００３９】
ここで全開というのは、設計上定めた開放の上限のことであるが、必要に応じて任意に定めることができる。
【００４０】
また、特別なメンテナンス等や必要に応じて、それ以上開くような仕様で設計されていても構わない。
【００４１】
さらに、一対のステー３０の下端部には、ローラ３８が取り付けられた状態となっている。
【００４２】
閉鎖保持部材３２は、図７に示すように、ロッド状のもので形成され、一対のステー３０の上部間に掛け渡して取り付けられ、本体側機構部２８により係合保持可能にされている。
【００４３】
開放維持部材３４は、図８に示すように、断面Ｌ字状の部材で、一対のステー３０の下部間に掛け渡して取り付けられ、カバー１４が全開状態で本体側機構部２８により支持されて全開状態を維持可能にされている。
【００４４】
各本体側機構部２８は、図５〜７に示すように、一対のガイドレール４０と、係合手段としてのラッチ部材４２と、開放支持部材４４と、ロック解除機構４６とを有している。
【００４５】
一対のガイドレール４０は、ステー３０の幅に相応させて筐体１８の内側面に上下方向に亘って開口面を対向させた状態で配設され、ステー３０の下端のローラ３８を案内可能にされている。
【００４６】
また、このガイドレール４０は、下方から上方に向けて外側に傾斜する筐体１８の側面に沿って取り付けられ、カバー１４の開放時にステー３０の下端をヒンジ軸３６より外方に位置させて、ステー３０の自重によりステー下端に内方への付勢力を付与可能にしている。
【００４７】
ラッチ部材４２は、ガイドレール４０の上方で回転軸５０を中心に回転可能に取り付けられ、蓋側機構部２６の閉鎖保持部材３２と係合して閉鎖状態を維持可能にされている。
【００４８】
具体的には、ガイドレール４０の上方には、図９にも示すように、ほぼコ字状の支持ブラケット５２が取り付けられ、この支持ブラケット５２にラッチ部材支持ブラケット５４が取り付けられ、このラッチ部材支持ブラケット５４にラッチ部材４２の回転軸５０が取り付けられた状態となっている。
【００４９】
また、このラッチ部材４２には、付勢部材としてのばね５６が取り付けられ、このばね５６によってラッチ部材４２が閉鎖保持部材３２との係合方向に付勢された状態となっている。
【００５０】
さらに、ラッチ部材４２の上面側には、傾斜状の係合用ガイド部５８が形成され、この係合用ガイド部５８に対する閉鎖保持部材３２の押下によりばね５６の付勢力に抗してラッチ部材４２が開き、自動的に係合可能にされている。
【００５１】
開放支持部材４４は、カバー１４を全開した状態で、ステー３０を支持解除可能に支持するもので、支持ブラケット５２の下端で、ガイドレール４０の上端内方位置に隣接して水平状態に設けられ、ステー３０の下端部に設けられた開放維持部材３４を載置支持可能にされている。
【００５２】
また、この開放支持部材４４には、図７及び８に示すように、その外側端に開放支持部材４４上から開放維持部材３４が脱落するのを防止するための脱落防止部６０が一体に立ち上げ形成されている。
【００５３】
さらに、ガイドレール４０の内方上端には、図７に示すように、ステー３０の開放維持部材３４が開放支持部材４４と干渉して開放支持部材４４上に支持されなくなるのを防止するために、開放支持部材３４を一旦外方に導くための返し片６２が外方に向けて形成されている。
【００５４】
また、開放支持部材４４の上方には、支持ブラケット５２とラッチ部材支持ブラケット５４との間に取り付けられた上限ストッパ６４が設けられ、この上限ストッパ６４によりステー３０の上限位置で開放維持部材３４と当接してステー３０の抜けだしを防止可能にしている。
【００５５】
この上限ストッパ６４の両面には、閉鎖保持部材３２が押下される位置に、開放保持部材３２が若干位置ずれをしていた場合でも確実にラッチ部材４２との係合位置に案内する係合用ガイド溝６６が形成されている。
【００５６】
また、この係合用ガイド溝６６は、カバー１４が例えば図７の左右方向に押された場合に、閉鎖保持部材３２とラッチ部材４２との係合が解除されるのを防止することができるようになっている。
【００５７】
ロック解除機構４６は、ラッチ部材４２による閉鎖保持部材３２のロックを解除するもので、図１０及び１１に示すように、ラッチ部材４２対応位置の筐体１８に取り付けられキー差込部６８に図示せぬキーを差し込んで回すことにより回転するロック解除軸７０と、このロック解除軸７０に取り付けられて一体に回転するＬ字状の回転板７２と、この回転板７２と対向してラッチ部材４２に設けられた傾斜状の当接板７４とを有し、回転板７２が回転して当接板７４を内方に押圧することで、ばね５６の付勢力に抗してラッチ部材４２をロック解除方向に回転させて閉鎖保持部材３２に対するラッチ部材４２の係合解除を可能としている。
【００５８】
また、この開閉装置１６には、本体側機構部２８として、さらに図６及び７に示すように、一定の荷重でステー３０を介してカバー１４に対して開方向の付勢力を生じさせる定荷重付勢手段としての定荷重ばね７６が設けられている。
【００５９】
この定荷重ばね７６は、薄板７８をドラム８０に密着巻きにしたものを２つ用いており、そのドラム８０をドラムシャフト８４を介してブラケット８６に取り付け、このブラケット８６をゲーム機本体１２側の上部に取り付けるようにしている。
【００６０】
また、薄板７８の外端部８８は、エンドブラケット９０ａに取り付けるようにしている。
【００６１】
このエンドブラケット９０ａは、両端に内側ローラ３８ａ及び外側ローラ３８ｂを有する台車９０ｂに取り付けられている。
【００６２】
図６に示すように、内側ローラ３８ａは、ガイドレール４０の内面に当接可能にされ、外側ローラ３８ｂは、ガイドレール４０の外面に当接可能にされると共に、これら内側ローラ３８ａ、外側ローラ３８ｂは、上下で離れた位置に配置された状態となっている。
【００６３】
また、この台車９０ｂの曲げ部９０ｃにステー３０の下端部にあるローラ３８が載るようになっている。
【００６４】
このようにすることによって、定荷重ばね７６は、伸縮量にかかわらず荷重が常に一定であるため、常に一定の力で台車９０ｂ、ステー３０を上方に持ち上げるという働きをすることとなる。
【００６５】
したがって、全開位置から全閉位置までのいずれにおいても、常に均等なばね力がステー３０に働き、カバー１４を開く方向に作用することとなり、全閉状態から全開状態へカバー１４を開く場合に、小さな力でスムーズに行うことができることとなる。
【００６６】
しかも、定荷重ばね７６のばね力を適切に設定することで、全開及び全閉の中間位置においてもカバー１４を開いた状態に維持することができ、操作性をさらに向上させることができる。
【００６７】
また、カバー１４を閉じる場合にも定荷重ばね７６の荷重が作用するため、カバー１４の重さによって急激にカバー１４が閉じてしまうのを防止することができる。
【００６８】
さらに、カバー１４を開いてステー３０を持ち上げた際に、定荷重ばね７６の巻き取りによって台車９０ｂに時計方向へのモーメントが作用することとなり、これによって台車９０ｂの内側ローラ３８ａ及び外側ローラ３８ｂがガイドレール４０を挟み込むように作用しながら転動することとなり、スムーズな台車９０ｂの移動によってカバー１４の開閉を可能にすることとなる。
【００６９】
また、このような開閉装置１６にあっては、何らかの事情で、カバー１４を取り外す場合、ステー３０を本体側機構部２８により係合固定できるようにすると、ステー３０の係合を解除した際にカバー１４の荷重を受けていないステー３０が定荷重ばねの付勢力によって急激に飛び出す可能性があるため、図１２〜１４に示すように、ステー３０のカバー１４への取付部９２にステー３０が本体側機構部２８によって係合されるのを防止する係合防止手段９４を設けている。
【００７０】
この係合防止手段９４は、ステー３０の上端部に位置するヒンジ軸３６をステー３０に対して左右方向にスライド可能に取付け、このヒンジ軸３６にカバー１４の縁部を挟み込む上側取付け板９６及び下側取付け板９８を支持させている。
【００７１】
上側取付け板９６は、ステー３０に対して位置固定状態となっており、取手１００のねじ部を挿入する２つの取付孔１０２が形成されている。
【００７２】
また、上側取付け板９６の一方の端部（図１２及び１４の右端）からはヒンジ軸３６が突出可能にされている。
【００７３】
下側取付け板９８は、上側取付け板９６の取付孔１０２対応位置に取付孔１０８が形成されると共に、位置決めリング１０４を介してヒンジ軸３６と軸方向で一体化された状態となっており、ヒンジ軸３６と共にスライド可能とされている。
【００７４】
一方のステー３０とした下側取付け板９８との間のヒンジ軸３６にはばね１０６が装着されてヒンジ軸３６及び下側取付け板９８を図１２及び１４の右方向に付勢した状態となっている。
【００７５】
この状態で、まず、上側取付け板９６をカバー１４の上面側、下側取付け板９８を下面側にあてがい、下側取付け板９８及びヒンジ軸３６をばね１０６の付勢力に抗して図１２及び１４の左方向にスライドさせると、上側取付け板９６及び下側取付け板９８の取付孔１０２、１０８の位置が一致することとなる。
【００７６】
この状態で、取付孔１０２、１０８に取手１００のねじ部を挿入し、ナット１１０を締めれば（図１３参照）、取付部９２内にヒンジ軸３６を収納した状態で取り付けを行うことができる。
【００７７】
取付部９２をカバー１４から取り外す場合は、ナット１１０を外し、下側取付け板９８及びヒンジ軸３６をばね１０６の付勢力に抗して図１２及び１４の左方向に押しつけながら取手１００を取付孔１０２、１０８より引き抜けばよい。
【００７８】
この場合、取手１００を引き抜くと、ばね１０６の付勢力により、下側取付け板９８及びヒンジ軸３６が図１２及び１４の右方向に押しつけられて、取付部９２の右端よりヒンジ軸３６が突出することとなる。
【００７９】
したがって、ステー３０をゲーム機本体１２内に押し込もうとしても、ヒンジ軸３６の突出端がゲーム機本体１２の上面に当接して、入り込めず、その結果、ステー３０のロックができない状態となる。
【００８０】
次に、前述の開閉装置１６の開閉動作状態について説明する。
【００８１】
まず、図２に示すように、ゲーム機本体１２に対してカバー１４が全閉状態にされている場合には、一対の開閉機構２４が、それぞれ閉鎖保持部材３２に対してラッチ部材４２が係合して閉鎖状態を維持している。
【００８２】
次に、図３に示すように図中左側の開閉機構２４をロック状態のまま、図中右側の開閉機構２４のロック解除機構４６を操作して、回転板７２を当接板７４に当接させて、閉鎖保持部材３２に対するラッチ部材４２の係合解除を行うと、台車９０ｂが定荷重ばね７６の付勢力により、一定の力で上方に持上げられる状態となる。
【００８３】
このとき、図中左側の開閉機構２４は、ヒンジ軸３６がカバー１４の回転中心となる。
【００８４】
次に、図４に示すように、図中右側のカバー１４を上方に持上げていくと、ステー３０がカバー１４の上昇に伴って持上げられることとなる。
【００８５】
この場合、ステー３０が定荷重ばね７６によって一定荷重で上方に付勢されている台車９０ｂによって押し上げられるので、カバー１４の持上げ動作は小さな力でスムーズに行うことができる。
【００８６】
また、ステー３０の持上げに伴う定荷重ばね７６の巻き取りによって台車９０ｂに時計方向へのモーメントが作用して、内側ローラ３８ａ及び外側ローラ３８ｂがガイドレールを挟み込むように作用しながら転動することとなり、より一層スムーズな開放動作が得られることとなる。
【００８７】
さらに、ステー３０は、下端部に設けられたローラ３８がガイドレール４０に沿って外方に案内されるとともに、カバー１４の開放に伴って上端部が内方に移動することとなるため、ステー３０の下部が自重により内方に付勢された状態となる。
【００８８】
そして、カバー１４を全開状態まで開放すると、ローラ３８がガイドレール４０の上端から抜け出し、ステー３０の下部に設けた開放維持部材３４がステー３０の自重により開放支持部材４４側に移動し、この状態でカバー１４から手を離すと、開放維持部材３４が開放支持部材４４上に載置支持されて全開状態を維持することとなる。
【００８９】
また、この開放に際して、カバー１４を全開状態よりも上方に開放しようとしても、開放維持部材３４が上限ストッパ６４に当接するため、設計仕様以上の移動は許されず、しかも、ステー３０が本体側機構部２８側から抜け出すのを防止することもできる。
【００９０】
さらに、開放維持部材３４が開放支持部材４４上に移行する際しては、返し片６２がステー３０を外方に移動させるため、開放維持部材３４が開放支持部材４４に干渉することなく確実な移行動作が行われることとなる。
【００９１】
そして、この状態で、開放部分からゲーム機本体１２の内部の景品を補充したり、偏って存在する景品を均一にならす作業を行えばよく、カバー１４を他の場所にどけたり、他の作業者に持っていてもらったりする必要がなく、１人の作業者で容易に作業を行うことができる。
【００９２】
また、開閉機構２４は、操作パネル２２間にあるため、カバー１４の片側を開けた状態で、２つのテーブル２０に跨った状態となり、２つのテーブルの前後の３つの空間８２にわたる作業を一度に行うことができ、作業効率も向上することとなる。
【００９３】
さらに、作業中に作業者が誤ってカバー１４にぶつかってカバー１４を持上げる方向に動かしたとしても、上限ストッパ６４によりステー３０の抜け出しが防止され、かつ、脱落防止部６０によって開放維持部材３４が開放支持部材４４上から脱落してカバー１４がとじるのを防止することができる。
【００９４】
次に、作業終了後に、開放側のカバー１４を若干持上げ、ステー３０の下端部を外方に移動させて開放維持部材３４を開放支持部材４４上から外方に移動させた状態でカバー１４を降ろせば、ステー３０のローラ３８が確実にガイドレール４０内の台車９０ｂ上に載り、そのままカバー１４を閉じれば、容易に閉塞が可能である。
【００９５】
この場合も、台車９０ｂを介して定荷重ばね７６によって一定の荷重がかかった状態となっているため、カバー１４の自重によってカバー１４が急激に閉じることがなく、スムーズな閉塞動作を行うことができる。
【００９６】
次いで、さらにカバー１４を押し下げると、閉鎖保持部材３２が係合用ガイド溝６６に沿って下降し、ラッチ部材４２の係合用ガイド部５８に当接し、ラッチ部材４２を内方に回転させながら係合位置まで下降して、その時点でラッチ部材４２が閉鎖保持部材３２に係合し、ロック状態となり全閉状態を維持することとなる（図２参照）。
【００９７】
次いで、図中左側の開閉機構２４を前述の動作と同じ動作でロック解除してカバー１４を全開状態にすれば、ゲーム機本体１２の反対側において容易かつ効率よく作業を行うことができる。
【００９８】
また、取付部９２がカバー１４に取り付けられている状態では、前述のように、ヒンジ軸３６が取付部内９２に収納された状態となっており、ステー３０がゲーム機本体１２内に挿入された状態でロックが可能である。
【００９９】
これに対し、取付部９２をカバー１４から取り外して取手１００を抜いた状態ではヒンジ軸３６がばね１０６の付勢力により取付部９２の外方に突出するので、ステー３０をゲーム機本体１２内に完全に押し込もうとしても、ヒンジ軸３６の突出部分がゲーム機本体１２の上面に当接して押し込めない状態となる。
【０１００】
したがって、カバー１４を取り外した状態で、ステー３０をロックすることができず、ロック解除されたステー３０が定荷重ばね７６の付勢力によって上方に突出するような事態を防止することができる。
【０１０１】
本発明は、前記実施の形態に限定されるものではなく、本発明の要旨の範囲内において種々の形態に変更可能である。
【０１０２】
例えば、前記実施の形態では開閉装置を用いたゲーム機について説明したが、この開閉装置はゲーム機に限定されるものではなく、上下方向で開閉を行う蓋を有するものであれば種々のものに適用することが可能である。
【０１０３】
また、前記実施の形態においては、一対の開閉機構の一方をヒンジとし他方を開閉する場合について説明したが、この例に限定されるものではなく、一対の開閉機構を同時に開放して蓋を垂直上方に開放することも可能である。
【０１０４】
さらに、前記実施の形態では、定荷重付勢手段として定荷重ばねを示したが、この例に限定されるものではなく、一定の荷重を発生するものであれば接触渦巻きばね、接触ゼンマイばね等を用いることも可能である。
【０１０５】
また、前記実施の形態では、定荷重ばねの巻き取り側をゲーム機本体の上部側、薄板の外端部をステーの下部側に取り付けるようにしているが、定荷重ばねの取付け状態を上下逆にしてもよく、あるいは、両端に巻き取り部を有する定荷重ばねを用いるようにしてもよい。
【０１０６】
さらに、前記実施の形態では、取付部のヒンジ軸を取り外し時における係合防止手段として用いているが、係合防止手段を別途設けることも可能である。
【図面の簡単な説明】
【０１０７】
【図１】本発明の一実施の形態に係るゲーム機の平面図である。
【図２】図１のカバーを全閉状態にしたゲーム機の概略断面図である。
【図３】図２の状態からカバーを途中まで開放した状態を示すゲーム機の概略断面図である。
【図４】図３の状態からカバーを全開状態にしたゲーム機の概略断面図である。
【図５】定荷重ばね省略して筐体内部から見た開閉機構の正面図である。
【図６】定荷重ばねの取付け状態を示す部分拡大正面図である。
【図７】開閉機構のヒンジ側の拡大断面図である。
【図８】定荷重ばねを省略した開閉機構の全開状態における部分拡大断面図である。
【図９】本体側機構部の平面図である。
【図１０】ロック解除機構の平面図である。
【図１１】ロック解除機構の側面図である。
【図１２】取付部の部分拡大正面図である。
【図１３】図１２の縦断面図である。
【図１４】取付部の斜視図である。
【符号の説明】
【０１０８】
１０  ゲーム機
１２  ゲーム機本体
１４  カバー
１６  開閉装置
１８  筐体
２０  テーブル
２２  操作パネル
２４  開閉機構
２６  蓋側機構部
２８  本体側機構部
３０  ステー
３２  閉鎖保持部材
３４  開放維持部材
３６  ヒンジ軸
３８  ローラ
３８ａ  内側ローラ
３８ｂ  外側ローラ
４０  ガイドレール
４２  ラッチ部材
４４  開放支持部材
４６  ロック解除機構
５６  ばね
５８  係合用ガイド部
６０  脱落防止部
６４  上限ストッパ
７６  定荷重ばね
７８  薄板
８８  外端部
９０ａ  エンドブラケット
９０ｂ  台車
９２  取付部
９４  係合防止手段
９６  上側取付け板
９８  下側取付け板
１００  取手
１０２、１０８  取付孔
１０６  ばね
【図１】
2006045784.tif 000003
【図２】
2006045784.tif 000004
【図３】
2006045784.tif 000005
【図４】
2006045784.tif 000006
【図５】
2006045784.tif 000007
【図６】
2006045784.tif 000008
【図７】
2006045784.tif 000009
【図８】
2006045784.tif 000010
【図９】
2006045784.tif 000011
【図１０】
2006045784.tif 000012
【図１１】
2006045784.tif 000013
【図１２】
2006045784.tif 000014
【図１３】
2006045784.tif 000015
【図１４】
2006045784.tif 000016